(57)【要約】【課題】  簡単かつ安価な構成であって、使用者の握力や技量にかかわらず、容易な操作で容器の容量を細かく変更できるようにする。【解決手段】  開示される容量可変容器１は、口部３１と、口部３１の下部に挿通して形成された首部３２と、首部３２の下部に挿通し、外周に雌ねじ部３４ａを有し、下端３４ｂが開口した略円筒状の上胴部３４とを備えた上部収容部２１と、上端４１ａが開口し、外周に雌ねじ部３４ａに螺合する雄ねじ部４３を有した略円筒状の下胴部４１と、下胴部２２に連続し、下端が閉塞した底部４２とを有する下部収容部２２とを備えている。この容量可変容器１は、雌ねじ部３４ａと雄ねじ部４３が螺合して形成された内部に内容物を収容する。【選択図】  図１
2013147284.tif 000002
【特許請求の範囲】
【請求項１】
口部と、前記口部の下部に挿通して形成された首部と、前記首部の下部に挿通し、側面に第１のねじ部を有し、下端が開口した略円筒状の上胴部とを備えた上部収容部と、
上端が開口し、側面に前記第１のねじ部に螺合する第２のねじ部を有した略円筒状の下胴部と、前記下胴部に連続し、下端が閉塞した底部とを有する下部収容部とを備え、
前記第１のねじ部と前記第２のねじ部が螺合して形成された内部に内容物を収容することを特徴とする容量可変容器。
【請求項２】
前記第１のねじ部と、前記第２のねじ部とは、一方の素材が他方の素材より柔らかいものであることを特徴とする請求項１に記載の容量可変容器。
【発明の詳細な説明】
【技術分野】
【０００１】
本発明は、液体や粒体、粉体等を収容し、その収容容量を変更することが可能な容量可変容器に関する。
【背景技術】
【０００２】
酒類や清涼飲料水、乳酸菌飲料、牛乳等の飲料は、様々な材質や形状、容積等を有する容器に収容され、密封されて市販されている。これらの飲料は、購入後、容器が開封されれば、時間が経てば経つほど、味や香り、風味等が変化していく。この変化は、例えば、飲料を構成する成分の酸化、飲料の生成過程で発生又は混入した酢酸菌等の各種菌類の繁殖、飲料の生成過程で発生又は圧入した二酸化炭素等の揮発物質の揮発などに起因している。
【０００３】
このような容器開封後の飲料の味や香り、風味等の変化を抑えるために、従来、様々な技術が提案されている。
まず、ワインの酸化を防止するために、ワインの瓶を密閉できる栓の下側に脱酸素剤を取り付けた開栓後用のワインの酸化防止器具がある（例えば、特許文献１参照。）。以下、この技術を第１の従来例と呼ぶ。
【０００４】
また、ワインの酸化を防止するために、開口した首部を有し容積可変に変形可能な容器本体と、首部の内径よりも小さい口径から首部の内径より大きい口径まで径を拡大させることができる栓とを備えている液体保存容器がある。この液体保存容器は、栓が首部の内径よりも小さい口径の状態で首部の開口部分から首部に挿入され、栓を首部の内面に密着させるように首部内で栓の径を拡大させることにより、首部の任意の位置で首部を密閉するものである。なお、栓には、栓を首部の任意の位置に留めるための持ち手が取り付けられている（例えば、特許文献２参照。）。以下、この技術を第２の従来例と呼ぶ。
【０００５】
また、炭酸飲料水に圧入した二酸化炭素の揮発を抑制するために、空気ポンプと、空気ポンプに接続され、容器内部に差し込み可能な空気供給管と、空気供給管の先端に接続され、供給される空気で膨張して容器内面に密着可能な気球状弾性体と、空気供給管又は空気ポンプに設けられた圧力開放弁とを備えた炭酸飲料容器の密栓用具がある（例えば、特許文献３参照。）。以下、この技術を第３の従来例と呼ぶ。
【０００６】
なお、容器開封後の飲料の味や香り、風味等の変化を抑えることを目的としたものではないが、内部に収容する液体の容量を変更することが可能な容量可変容器としては、例えば、従来、以下に示すペットボトルがあった。このペットボトルは、上端部の飲み口部と、この飲み口部の高さ方向の幅と、底部の高さ方向の幅とを除いて、高さ方向が水平方向の蛇腹状部となっている。このペットボトル本体の蛇腹状部を高さ方向の一方或いは両方向からペットボトル本体の中心方向に押圧することにより、蛇腹状部が重なり合う潰された状態を保つことができるように構成されている（例えば、特許文献４参照。）。以下、この技術を第４の従来例と呼ぶ。
【先行技術文献】
【特許文献】
【０００７】
【特許文献１】特開２００５−１３２４７５号公報
【特許文献２】特許第４２６７０６０号公報
【特許文献３】特開２００５−１１２４０７号公報
【特許文献４】特許第４５３７２６４号公報
【発明の概要】
【発明が解決しようとする課題】
【０００８】
上記した第１の従来例では、酸素を完全に除去できるとは限らないので、長期保存に向かないし、開栓するごとに脱酸素剤を交換する必要がある。また、容器開封後の飲料の味や香り、風味等の変化は、飲料を構成する成分の酸化だけでなく、飲料の生成過程で発生又は混入した酢酸菌等の各種菌類の繁殖、飲料の生成過程で発生又は圧入した二酸化炭素等の揮発物質の揮発などにも起因している。したがって、上記した第１の従来例では、飲料を構成する成分の酸化以外の原因で容器開封後の飲料の味や香り、風味等が変化する場合には、対処できない。
【０００９】
また、上記した第２の従来例では、飲料の残量に応じて栓の下面を常に液面に接触させるためには、容器本体の柔軟性、剛性、耐久性、成形性など厳しい条件が課せられることが予想されるため、使用可能な素材が限定されてしまう。また、上記した第２の従来例では、飲料の残量に応じて栓の下面を常に液面に接触させるためには、使用者は、ある程度の握力や技量が要求され、握力が小さい者には容器本体を押しつぶせずに容器内の空気空間をなくすことはできないし、握力が十分でも技量が乏しければ必要以上に容器本体を押しつぶして容器の開口部から飲料をあふれさせてしまう。さらに、上記した第２の従来例では、容器本体が最適な素材で形成され、使用者の握力及び技量が十分な場合であっても、飲料の残量が少なくなればなるほど、容器内の空気空間をなくすことはできないし、容器本体自体が自立できなくなってしまう。
【００１０】
さらに、上記した第３の従来例では、容器に残った飲料を飲む度に気球状弾性体の空気を抜いたり、気球状弾性体及び空気供給菅を容器内から取り出さなければならず、使い勝手が良好でない。また、上記した第３の従来例では、容器と密栓用具とを併せた全長が長くなり、冷蔵庫やワインクーラーに入らない場合があるし、飲料の残量が少なくなればなるほど、全体の重心が高くなり、自立が困難となる。
【００１１】
また、上記した第４の従来例では、蛇腹状部の襞の間隔が広い場合には飲料の残量によっては容器内の空気空間をなくすことはできない場合があるし、蛇腹状部の襞の間隔が狭い場合には容器の耐久性や自立性が低下してしまう場合がある。また、上記した第４の従来例では、使用者は、ある程度の握力や技量が要求され、握力が小さい者には容器本体を押しつぶせずに容器内の空気空間をなくすことはできないし、握力が十分でも技量が乏しければ必要以上に容器本体を押しつぶして容器の開口部から飲料をあふれさせてしまう。
【００１２】
本発明は、上述した事情に鑑みてなされたものであり、上述のような問題を解決することを課題の一例とするものであり、これらの課題を解決することができる容量可変容器を提供することを目的とする。
【課題を解決するための手段】
【００１３】
上記課題を解決するために、請求項１に記載の発明に係る容量可変容器は、口部と、前記口部の下部に挿通して形成された首部と、前記首部の下部に挿通し、側面に第１のねじ部を有し、下端が開口した略円筒状の上胴部とを備えた上部収容部と、上端が開口し、側面に前記第１のねじ部に螺合する第２のねじ部を有した略円筒状の下胴部と、前記下胴部に連続し、下端が閉塞した底部とを有する下部収容部とを備え、前記第１のねじ部と前記第２のねじ部が螺合して形成された内部に内容物を収容することを特徴としている。
【００１４】
また、請求項２記載の発明は、請求項１記載の容量可変容器に係り、前記第１のねじ部と、前記第２のねじ部とは、一方の素材が他方の素材より柔らかいものであることを特徴としている。
【発明の効果】
【００１５】
本発明によれば、簡単かつ安価な構成であって、使用者の握力や技量にかかわらず、容易な操作で容器の容量を細かく変更することができる。このため、容器開封後の飲料の味や香り、風味等の変化を抑えることができる。
【図面の簡単な説明】
【００１６】
【図１】本発明の実施の形態１に係る容量可変容器の構造を示す概略断面図である。
【図２】図１に示す状態から容量を変更した状態の容量可変容器の構造を示す概略断面図である。
【図３】本発明の実施の形態２に係る容量可変容器の構造を示す概略断面図である。
【図４】図３に示す容量可変容器を構成する操作部の構成の一例を示す平面図である。
【図５】図３に示す状態から容量を変更した状態の容量可変容器の構造を示す概略断面図である。
【発明を実施するための形態】
【００１７】
以下、図面を参照して本発明を実施するための形態について説明する。
実施の形態１．
図１は、本発明の実施の形態１に係る容量可変容器１の構造を示す概略断面図である。本実施の形態１に係る容量可変容器１は、容器本体１１と、キャップ１２とから概略構成されている。
【００１８】
容器本体１１は、上部収容部２１と、下部収容部２２とに分割されて構成されている。上部収容部２１は、外周部に雄ねじ部３１ａが形成された口部３１と、口部３１の下部に挿通して形成された首部３２と、首部３２の下部に連続して形成された肩部３３と、肩部３３の下部に連続して形成された上胴部３４とから構成されている。上胴部３４の内周部には、雌ねじ部３４ａが形成されている。また、上胴部３４の下端３４ｂは、開口している。
【００１９】
口部３１及び上胴部３４の横断面は、雄ねじ部３１ａ及び雌ねじ部３４ａがそれぞれ形成されているので、略円形状であることが好ましい。一方、首部３２及び肩部３３の横断面は、略円形状に限らず、略楕円形状、略三角形状、略四角形状、あるいは略多角形状でも良い。
【００２０】
下部収容部２２は、上端４１ａが開口した下胴部４１と、下胴部４１の下部に連続して形成され下端が閉塞した底部４２と、下胴部４１の外周部４１ｂに設けられた雄ねじ部４３とから構成されている。底部４２は、下胴部４１に連続する平坦な接地部４２ａと、接地部４２ａの内側で下胴部４１内に縦断面が略ドーム形状に膨出する凹部４２ｂとを備えている。容器本体１１は、接地部４２ａにより自立可能に形成されている。雄ねじ部４３は、上胴部３４の内周部に形成された雌ねじ部３４ａに螺合する。
【００２１】
下胴部４１及び雄ねじ部４３の横断面は、雄ねじ部４３が雌ねじ部３４ａに螺合するので、略円形状であることが好ましい。一方、底部４２の横断面は、略円形状に限らず、略楕円形状、略三角形状、略四角形状、あるいは略多角形状でも良い。
【００２２】
キャップ１２は、全体形状が略円筒状を呈している。キャップ１２は、上面１２ａが閉塞し、下面１２ｂが開口している。キャップ１２の内周には、図示しないが、容器本体１１を構成する上部収容部２１の口部３１の外周部に形成された雄ねじ部３１ａに螺合する雌ねじ部が形成されている。
【００２３】
なお、上部収容部２１と下部収容部２２のねじの形成方向は、キャップ１２と口部３１のねじの形成方向と同じでも異ならせても良い。通常、キャップ１２と口部３１のねじの形成方向は、口部３１に対して時計回りにキャップ１２を回転させると締結される、いわゆる「右ねじ」である。したがって、上部収容部２１と下部収容部２２のねじの形成方向は、下部収容部２２に対して時計回りに上部収容部２１を回転させると下降する、いわゆる「右ねじ」でも、下部収容部２２に対して反時計回りに上部収容部２１を回転させると下降する、いわゆる「左ねじ」でも良い。
【００２４】
次に、上記した構造を備えた容量可変容器１の素材について説明する。上部収容部２１全体と、下部収容部２２のうち、下胴部４１及び底部４２とは、いずれも同一の素材であることが好ましい。これらの素材は、例えば、ポリエチレンテレフタレート、ポリブチレンテレフタレート、ポリエチレンナフタレート、ポリカーボネート、ポリアリレート、又はこれらの共重合体等の熱可塑性ポリエステル、これらの樹脂あるいは他の樹脂とのブレンド物が好適であり、特に、ポリエチレンテレフタレート等のエチレンテレフタレート系熱可塑性ポリエステルが好適である。また、アクリロニトリル樹脂、ポリプロピレン、プロピレン−エチレン共重合体、ポリエチレン等も使用することができる。上部収容部２１全体は、これらの素材を用いて、例えば、二軸延伸ブロー成形法等により一体成形する。
【００２５】
一方、下部収容部２２の雄ねじ部４３と、キャップ１２とは、いずれも同一の素材であることが好ましい。これらの素材は、例えば、容器に収容する飲料のシール性等を考慮して、上記ポリエチレンテレフタレート等よりは柔らかいポリエチレンやポリプロピレンのポリオレフィン系のものが好適である。この場合、下部収容部２２については、下胴部４１及び底部４２を、例えば、二軸延伸ブロー成形法等により一体成形するとともに、雄ねじ部４３を成形した後、下胴部４１の外周部４１ｂに雄ねじ部４３を接着、融着等により接合する。
【００２６】
なお、上記シール性の他、耐久性が十分に得られるのであれば、例えば、特開２００８−２３０６４６号公報に開示されている樹脂組成物を、上部収容部２１全体、下胴部４１及び底部４２とともに、雄ねじ部４３及びキャップ１２の素材として用いても良い。この場合には、下部収容部２２全体を一体成形で形成することができる。
【００２７】
この樹脂組成物は、芳香族ポリエステル樹脂（Ａ）３０〜９０重量％、ポリエーテルエステルブロック共重合体（Ｂ）５０〜５重量％及びアイオノマー樹脂（Ｃ）２０〜５重量％を主成分として含むものである。
【００２８】
次に、上記構造を備えた容量可変容器１の使用方法の一例について、図１及び図２を参照して説明する。まず、容量可変容器１に収容された飲料は、購入時においては、図１の首部３２の略中間部にまで満たされている。ここで、首部３２の横断面が略円形状であるとし、その半径をｒ１とし、円周率をπとすると、購入時の飲料の空気との接触面積Ｓ１は、式（１）で表される。
Ｓ１＝π×ｒ１２・・・（１）
【００２９】
そして、飲料の購入者が当該飲料を飲んで容量可変容器１に残留する飲料が下部収容部２２を構成する下胴部４１の上端４１ａ付近まで減少したとする。ここで、下胴部４１の横断面は略円形状であり、その半径をｒ２とすると、残留する飲料の空気との接触面積Ｓ２は、式（２）で表される。
Ｓ２＝π×ｒ２２・・・（２）
【００３０】
接触面積Ｓ２と接触面積Ｓ１との比は、式（３）で表される。
Ｓ２／Ｓ２＝（π×ｒ２２）／（π×ｒ１２）＝ｒ２２／ｒ１２・・・（３）
例えば、半径ｒ１が２．５ｍｍであり、半径ｒ２が２５ｍｍであるとすると、残留する飲料の空気との接触面積Ｓ２は、購入時の飲料の空気との接触面積Ｓ１の１００倍となってしまう。
【００３１】
さらに、容量可変容器１内の空気の体積は、購入時では接触面積Ｓ１に首部３２の高さの略半分を乗じたものに過ぎないの対し、現時点では購入時の体積と、接触面積Ｓ２に肩部３３から下胴部２２の上端４１ａ付近までの距離を乗じたものとの和であるから、飲料中の揮発物質が揮発する空間もそれだけ拡大されることになる。
【００３２】
そこで、購入者は、容量可変容器１を卓上に載置し、底部４２を一方の手で把持した状態で、他方の手で上部収容部２１を把持して時計回り又は反時計回りに回転させる。これにより、上部収容部２１が徐々に下降して行く。購入者は、容量可変容器１内の液面を目視しつつ、上記動作を繰り返し、液面が首部３２に到達した段階で上記動作を終了する。図２は、上胴部３４の下端３４ｂが雄ねじ部４３の下端４３ａに到達した状態を示している。
【００３３】
もっとも、購入者は、容量可変容器１内の飲料を飲んでいる際に、容量可変容器１内の飲料の液面に注意を払い、液面が常に首部３２内に存在するように、上部収容部２１を下降させる上記動作を行っても良い。このようにすれば、残留する飲料の空気との接触面積を常に面積Ｓ１に保持することができるとともに、容量可変容器１内の空気層も常に小さく保持することができる。
【００３４】
すなわち、本発明の実施の形態１によれば、簡単かつ安価な構成であって、使用者の握力や技量にかかわらず、容易な操作で容器の容量を細かく変更することができる。このため、容器開封後の容量可変容器１内の飲料の味や香り、風味等の変化を抑えることができ、飲み残しの飲料を一定期間保存することができる。
【００３５】
実施の形態２．
図３は、本発明の実施の形態２に係る容量可変容器２の構造を示す概略断面図である。本実施の形態１に係る容量可変容器２は、容器本体１３と、上記実施の形態１に係るキャップ１２とから概略構成されている。
【００３６】
容器本体１３は、上部収容部２３と、下部収容部２４とに分割されて構成されている。上部収容部２３は、外周部に雄ねじ部３５ａが形成された口部３５と、口部３５の下部に挿通して形成された首部３６と、首部３６の下部に連続して形成された肩部３７と、肩部３７の下部に連続して形成された上胴部３８と、上胴部３８の下部に連続して形成された脚部３９とから構成されている。上胴部３８の内周部には、雌ねじ部３８ａが形成されている。また、脚部３９の下端３９ａは、開口している。容器本体１３は、脚部３９により自立可能に形成されている。
【００３７】
口部３５及び上胴部３８の横断面は、雄ねじ部３５ａ及び雌ねじ部３８ａがそれぞれ形成されているので、略円形状であることが好ましい。一方、首部３６、肩部３７及び脚部３９の横断面は、略円形状に限らず、略楕円形状、略三角形状、略四角形状、あるいは略多角形状でも良い。
【００３８】
下部収容部２４は、上端４４ａが開口し、下端が閉塞した下胴部４４と、下胴部４４の下端に連続して形成された操作部４５と、下胴部４４の外周部４４ｂに設けられた雄ねじ部４６とから構成されている。操作部４５は、略円柱状を呈しており、図４に示すように、直径略１０ｍｍ程度の略円柱状の凹部４５ａが操作部４５の中心から偏って穿設されている。雄ねじ部４６は、上胴部３８の内周部に形成された雌ねじ部３８ａに螺合する。
【００３９】
下胴部４４及び雄ねじ部４６の横断面は、雄ねじ部４６が雌ねじ部３８ａに螺合するので、略円形状であることが好ましい。
【００４０】
なお、上部収容部２３と下部収容部２４のねじの形成方向は、キャップ１２と口部３５のねじの形成方向と同じでも異ならせても良い。通常、キャップ１２と口部３５のねじの形成方向は、口部３５に対して時計回りにキャップ１２を回転させると締結される、いわゆる「右ねじ」である。したがって、上部収容部２３と下部収容部２４のねじの形成方向は、上部収容部２３に対して時計回りに下部収容部２４を回転させると上昇する、いわゆる「右ねじ」でも、上部収容部２３に対して反時計回りに下部収容部２４を回転させると上昇する、いわゆる「左ねじ」でも良い。
【００４１】
上記した構造を備えた容量可変容器２の素材は、上述の実施の形態１に係る容量可変容器１の素材と同様で良い。
【００４２】
次に、上記構造を備えた容量可変容器２の使用方法の一例について、図３及び図５を参照して説明する。まず、容量可変容器２に収容された飲料は、購入時においては、図３の首部３６の略中間部にまで満たされている。ここで、首部３６の横断面が略円形状であるとし、その半径をｒ１とし、円周率をπとすると、購入時の飲料の空気との接触面積Ｓ１は、上述の実施の形態１に係る式（１）で表される。
【００４３】
そして、飲料の購入者が当該飲料を飲んで容量可変容器２に残留する飲料が下部収容部２４を構成する下胴部４４の上端４４ａ付近まで減少したとする。ここで、下胴部４４の横断面は略円形状であり、その半径をｒ２とすると、残留する飲料の空気との接触面積Ｓ２は、上述の実施の形態１に係る式（２）で表される。
【００４４】
接触面積Ｓ２と接触面積Ｓ１との比は、上述の実施の形態１に係る式（３）で表される。
例えば、半径ｒ１が２．５ｍｍであり、半径ｒ２が５０ｍｍであるとすると、残留する飲料の空気との接触面積Ｓ２は、購入時の飲料の空気との接触面積Ｓ１の１００倍となってしまう。
【００４５】
さらに、容量可変容器２内の空気の体積は、購入時では接触面積Ｓ１に首部３６の高さの略半分を乗じたものに過ぎないの対し、現時点では購入時の体積と、接触面積Ｓ２に肩部３７から下胴部４４の上端４４ａ付近までの距離を乗じたものとの和であるから、飲料中の揮発物質が揮発する空間もそれだけ拡大されることになる。
【００４６】
そこで、購入者は、容量可変容器２の首部３６や肩部３７を一方の手で把持した状態で、他方の手で操作部４５の外周を把持するか、凹部４５ａにボールペン等の棒状の部材を嵌合して操作部４５を時計回り又は反時計回りに回転させる。これにより、下部収容部２４が徐々に上昇して行く。購入者は、容量可変容器２内の液面を目視しつつ、上記動作を繰り返し、液面が首部３６に到達した段階で上記動作を終了する。図５は、下胴部４４の上端４４ａが雌ねじ部３８ａの上端３８ｂに到達した状態を示している。
【００４７】
もっとも、購入者は、容量可変容器２内の飲料を飲んでいる際に、容量可変容器２内の飲料の液面に注意を払い、液面が常に首部３６内に存在するように、下部収容部２４を上昇させる上記動作を行っても良い。このようにすれば、残留する飲料の空気との接触面積を常に面積Ｓ１に保持することができるとともに、容量可変容器２内の空気層も常に小さく保持することができる。
【００４８】
すなわち、本発明の実施の形態２によれば、簡単かつ安価な構成であって、使用者の握力や技量にかかわらず、容易な操作で容器の容量を細かく変更することができる。このため、容器開封後の容量可変容器２内の飲料の味や香り、風味等の変化を抑えることができ、飲み残しの飲料を一定期間保存することができる。
【００４９】
なお、操作部４５のみを卓上等に接地させても容量可変容器２が自立可能な場合や、雌ねじ部３８ａの中途部分を卓上等に接地させても容量可変容器２が自立可能な場合には、飲料が収容されない雌ねじ部３８ａは、切断可能に構成しても良い。このように構成すれば、容量可変容器２全体の容量が縮小されるので、飲料の保存や携帯に場所をとらずに便利である。
【００５０】
実施の形態３．
上述の実施の形態１では、下胴部４１内に縦断面が略ドーム形状に膨出する凹部４２ｂを設ける例を示したが、これに限定されない。凹部４２ｂは、容量可変容器１の容量を可変する範囲を可能な限り広くするために設けている。したがって、他の方法で容量可変容器１の容量を可変する範囲を広くとれるのであれば、この目的のためには凹部４２ｂを設けなくても良い。
【００５１】
実施の形態４．
上述の各実施の形態では、上胴部３４及び３８の外周には特に何も形成しない例を示したが、これに限定されない。例えば、容量を可変する際の操作性を考慮して、上胴部３４及び３８の外周に、手の指、例えば、親指と他の４本の指のそれぞれに対応した凹部を形成しておいても良い。
【００５２】
実施の形態５．
上述の各実施の形態では、容器本体１１及び１３全体の素材が上記ポリエチレンテレフタレート等の合成樹脂である例を示したが、これに限定されない。例えば、容器本体１１及び１３全体の素材を例えば、ガラス、陶器、金属等とするとともに、雌ねじ部３４ａ及び３８ａ並びに雄ねじ部４３及び４６の素材をポリエチレンテレフタレート等の合成樹脂としても良い。この場合、雌ねじ部３４ａ又は３８ａと、雄ねじ部４３又は４６とは、一方の素材を他方の素材より柔らかいものとすることが密封性の点で好適である。例えば、雌ねじ部３４ａ及び３８ａの素材をポリエチレンテレフタレートとした場合、雄ねじ部４３及び４６の素材は、ポリエチレンテレフタレートよりは柔らかいポリエチレンやポリプロピレンのポリオレフィン系のものとする。
【００５３】
例えば、ガラスからなる上胴部３４及び３８の内周に、ポリエチレンテレフタレート等からなる雌ねじ部３４ａ及び３８ａを接合するとともに、ガラスからなる下胴部４１及び４４の外周にポリエチレン等からなる雄ねじ部４３及び４６を接合すれば良い。
【００５４】
実施の形態６．
上述の各実施の形態では、雌ねじ部３４ａ及び３８ａ並びに雄ねじ部４３及び４６の両方を予め形成しておく例を示したが、これに限定されない。例えば、雌ねじ部３４ａ及び３８ａ又は雄ねじ部４３及び４６の一方を形成せず、容量を変更する動作によって形成されていないねじ部をねじ切って形成するように構成しても良い。このように構成すれば、密着性が良好となるとともに、結合部分が外れにくくなる。
【００５５】
実施の形態７．
上述の各実施の形態では、上胴部３４及び３８の内周に雌ねじ部３４ａ及び３８ａを形成するとともに、下胴部４１及び４４の外周に雄ねじ部４３及び４６を形成する例を示したが、これに限定されない。例えば、上胴部３４及び３８の外周に雄ねじ部を形成するとともに、下胴部４１及び４４の内周に雌ねじ部を形成するように構成しても良い。
【００５６】
実施の形態８．
また、容量可変容器１において、上部収容部２１を構成する上胴部３４の下端３４ｂと、下部収容部２２を構成する下胴部４１とが当接する部分に、例えば、ゴム製のベルト、面ファスナー付きのベルトを締結するようにしても良い。
一方、容量可変容器２においては、下部収容部２４の外周と、上部収容部２３を構成する上胴部３８の内周部とが近接する部分に、例えば、ゴム製のリングを嵌合するようにしても良い。
このように構成すれば、密閉性が良好となるとともに、結合部分が外れにくくなる。
【００５７】
実施の形態９．
また、上述の実施の形態１では口部３１の下部に首部３２、肩部３３及び上胴部３４を順次同軸上に形成し、上述の実施の形態２では、口部３５の下部に首部３６、肩部３７及び上胴部３８を順次同軸上に形成する例を示したが、これに限定されない。例えば、上述の実施の形態１では肩部３３及び上胴部３４に対して口部３１及び首部３２が直交するように形成し、上述の実施の形態２では、肩部３７及び上胴部３８に対して口部３５首部３６が直交するように形成しても良い。このように構成すれば、ワイン等の飲料を収容した容量可変容器１及び２を、例えば、ワインセラー等に寝かせて収納することができる。
【００５８】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の各実施の形態では、容量可変容器１及び２に飲料を収容する例を示したが、容量可変容器１及び２に収容する内容物は、飲料に限定されず、飲用以外の液体、あるいは粉体又は粒体でも良い。
また、上述の各実施の形態は、その目的及び構成等に特に矛盾や問題がない限り、互いの技術を流用することができる。
【符号の説明】
【００５９】
１，２…容量可変容器、１１，１３…容器本体、１２…キャップ、１２ａ…上面、１２ｂ…下面、２１，２３…上部収容部、２２，２４…下部収容部、３１，３５…口部、３１ａ，３５ａ…雄ねじ部、３２，３６…首部、３３，３７…肩部、３４，３８…上胴部、３４ａ，３８ａ…雌ねじ部、３４ｂ…下端、３８ｂ…上端、３９…脚部、３９ａ…下端、４１，４４…下胴部、４１ａ，４４ａ…上端、４１ｂ，４４ｂ…外周部、４２…底部、４２ａ…接地部、４２ｂ…凹部、４３，４６…雄ねじ部、４３ａ…下端、４５…操作部、４５ａ…凹部
【図１】
2013147284.tif 000003
【図２】
2013147284.tif 000004
【図３】
2013147284.tif 000005
【図４】
2013147284.tif 000006
【図５】
2013147284.tif 000007
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
口部と、前記口部の下部に挿通して形成された首部と、前記首部の下部に挿通し、下端が開口した略円筒状の上胴部とを備えた上部収容部と、
上端が開口した略円筒状の下胴部と、前記下胴部に連続し、下端が閉塞した底部とを有する下部収容部とを備え、
前記上胴部の側面又は前記下胴部の側面のうち、一方の側面には、他方の側面の素材より柔らかい素材が用いられ、
前記他方の側面には、第１のねじ部が形成されており、
前記上部収容部の前記下端と前記下部収容部の上端とを結合させた状態で、容量を減少させるために前記上部収容部又は前記下部収容部の一方を他方に対して回転させることにより、前記第１のねじ部と螺合する第２のねじ部が前記一方の側面に形成されるように構成されている
ことを特徴とする容量可変容器。
【請求項２】
前記下部収容部と結合していない前記上胴部又は前記上部収容部と結合していない前記下胴部は、切断可能に構成されている
ことを特徴とする請求項１に記載の容量可変容器。
【手続補正２】
【補正対象書類名】明細書
【補正対象項目名】００１３
【補正方法】変更
【補正の内容】
【００１３】
上記課題を解決するために、請求項１に記載の発明に係る容量可変容器は、口部と、前記口部の下部に挿通して形成された首部と、前記首部の下部に挿通し、下端が開口した略円筒状の上胴部とを備えた上部収容部と、上端が開口した略円筒状の下胴部と、前記下胴部に連続し、下端が閉塞した底部とを有する下部収容部とを備え、前記上胴部の側面又は前記下胴部の側面のうち、一方の側面には、他方の側面の素材より柔らかい素材が用いられ、前記他方の側面には、第１のねじ部が形成されており、前記上部収容部の前記下端と前記下部収容部の上端とを結合させた状態で、容量を減少させるために前記上部収容部又は前記下部収容部の一方を他方に対して回転させることにより、前記第１のねじ部と螺合する第２のねじ部が前記一方の側面に形成されるように構成されていることを特徴としている。
【手続補正３】
【補正対象書類名】明細書
【補正対象項目名】００１４
【補正方法】変更
【補正の内容】
【００１４】
また、請求項２記載の発明は、請求項１記載の容量可変容器に係り、前記下部収容部と結合していない前記上胴部又は前記上部収容部と結合していない前記下胴部は、切断可能に構成されていることを特徴としている。